(57)【要約】【課題】システム全体の伝送効率を向上させることが可能なグラントフリー送信の仕組みを提供する。【解決手段】グラントフリー送信可能リソース、及び互いに異なる所定の情報に対応する複数の送信パターンに関する設定を行う設定部と、前記グラントフリー送信可能リソースにおいて、前記複数の送信パターンの中から選択した送信パターンを用いてデータをグラントフリー送信する通信処理部と、を備える送信装置。【選択図】図１
2019004311.tif 000002
【特許請求の範囲】
【請求項１】
グラントフリー送信可能リソース、及び互いに異なる所定の情報に対応する複数の送信パターンに関する設定を行う設定部と、
前記グラントフリー送信可能リソースにおいて、前記複数の送信パターンの中から選択した送信パターンを用いてデータをグラントフリー送信する通信処理部と、
を備える送信装置。
【請求項２】
前記送信パターンは、前記データの送信に用いられる非直交リソースに関する、請求項１に記載の送信装置。
【請求項３】
前記送信パターンは、前記データの送信に用いられる直交リソースに関する、請求項１に記載の送信装置。
【請求項４】
前記送信パターンは、前記データに対する復調参照信号に関する、請求項１に記載の送信装置。
【請求項５】
前記送信パターンは、前記データに対するスクランブルに関する、請求項１に記載の送信装置。
【請求項６】
前記送信パターンは、前記データに対するビームに関する、請求項１に記載の送信装置。
【請求項７】
前記所定の情報は、前記データの受信処理のための情報である、請求項１に記載の送信装置。
【請求項８】
前記所定の情報は、前記データの再送制御における送信回数である、請求項７に記載の送信装置。
【請求項９】
前記データの再送制御における送信回数が所定の閾値を超えた場合、所定の送信パターンが用いられる、請求項８に記載の送信装置。
【請求項１０】
前記複数の送信パターンは２つの送信パターンから成り、第１の送信パターンは初回送信を示し、第２の送信パターンは再送を示す、請求項８に記載の送信装置。
【請求項１１】
前記所定の情報は、前記データの繰り返し送信における送信回数である、請求項７に記載の送信装置。
【請求項１２】
設定された最大の繰り返し送信回数に至る前に繰り返し送信がストップする場合、最後に繰り返し送信される前記データには、前記最大の繰り返し送信回数に対応する送信パターンが用いられる、請求項１１に記載の送信装置。
【請求項１３】
前記所定の情報は、前記データの再送制御におけるプロセス番号である、請求項７に記載の送信装置。
【請求項１４】
前記所定の情報は、前記データに用いられる送信パラメータである、請求項７に記載の送信装置。
【請求項１５】
送信装置が使用可能なグラントフリー送信可能リソース、及び互いに異なる所定の情報に対応する複数の送信パターンに関する設定を行う設定部と、
前記グラントフリー送信可能リソースにおいて前記送信装置によりグラントフリー送信されたデータ、及び前記複数の送信パターンの中から選択されて前記データに用いられた送信パターンに対応する前記所定の情報を取得する通信処理部と、
を備える受信装置。
【請求項１６】
グラントフリー送信可能リソース、及び互いに異なる所定の情報に対応する複数の送信パターンに関する設定を行うことと、
前記グラントフリー送信可能リソースにおいて、前記複数の送信パターンの中から選択した送信パターンを用いてデータをグラントフリー送信することと、
を含む、プロセッサにより実行される送信方法。
【請求項１７】
送信装置が使用可能なグラントフリー送信可能リソース、及び互いに異なる所定の情報に対応する複数の送信パターンに関する設定を行うことと、
前記グラントフリー送信可能リソースにおいて前記送信装置によりグラントフリー送信されたデータ、及び前記複数の送信パターンの中から選択されて前記データに用いられた送信パターンに対応する前記所定の情報を取得することと、
を含むプロセッサにより実行される受信方法。
【請求項１８】
コンピュータを、
グラントフリー送信可能リソース、及び互いに異なる所定の情報に対応する複数の送信パターンに関する設定を行う設定部と、
前記グラントフリー送信可能リソースにおいて、前記複数の送信パターンの中から選択した送信パターンを用いてデータをグラントフリー送信する通信処理部と、
として機能させるためのプログラムが記録された記録媒体。
【請求項１９】
コンピュータを、
送信装置が使用可能なグラントフリー送信可能リソース、及び互いに異なる所定の情報に対応する複数の送信パターンに関する設定を行う設定部と、
前記グラントフリー送信可能リソースにおいて前記送信装置によりグラントフリー送信されたデータ、及び前記複数の送信パターンの中から選択されて前記データに用いられた送信パターンに対応する前記所定の情報を取得する通信処理部と、
として機能させるためのプログラムが記録された記録媒体。
【発明の詳細な説明】
【技術分野】
【０００１】
本開示は、送信装置、受信装置、送信方法、受信方法及び記録媒体に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「５Ｇ（第５世代）」「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はＬＴＥにおいてｅＮｏｄｅＢ（evolved  NodeB）およびＮＲにおいてｇＮｏｄｅＢ、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【０００４】
ＵＲＬＬＣでは、低遅延（低レイテンシー）伝送を実現することが求められる。特に、ＵＲＬＬＣの上りリンク送信において、端末装置のデータ送信に必要な制御の簡略化を行うことで低遅延化の実現が検討されている。これまでの上りリンク送信方法では、端末装置が上りリンクのデータが発生した場合、まず端末装置は基地局に上りリンク送信のためのリソース割り当て要求を行い、次に基地局は端末装置に上りリンク送信のためのリソース割り当てを行うための制御情報（上りリンクグラント、上りリンク割り当て）を通知する。端末装置は割り当てられたリソースを用いて上りリンク送信を行う。このような制御ステップは、上りリンク送信の度に行われるため、遅延の要因となっていた。
【０００５】
そのため、上りリンク送信のためのリソースを事前に割り当てることで、端末装置においてデータが発生した場合に、端末装置は事前に割り当てられた送信可能リソースを用いて上りリンク送信を行う。これにより、データが発生してからデータの送信を行うまでの時間を短縮することができ、低遅延送信が実現できる。このような送信は、グラントフリー送信と呼ばれる。グラントフリー送信の詳細は、非特許文献２に開示されている。
【０００６】
ＮＲでは、上りリンク送信において、複数の送信方法が検討されている。例えば、それらの送信方法は、グラントベース送信（グラント有り送信）およびグラントフリー送信（グラント無し送信）を含む。ここで、グラントは、上りリンク送信に関する制御情報であり、上りリンクグラントとも呼称される。グラントは、上りリンク送信に関するリソース割り当て情報などのスケジューリング情報を含む。
【０００７】
グラントベース送信において、基地局は上りリンク送信の度にＰＤＣＣＨ（Physical Downlink  Control  Channel）シグナリングによる制御情報を送信し、端末装置はその制御情報に基づいて上りリンク送信を行う。
【０００８】
グラントフリー送信において、端末装置は基地局からグラントフリー送信用に所定の上りリンクリソース（グラントフリー送信可能リソース）が割り当てられる。端末装置は、上りリンク送信のデータが発生した場合、グラントフリー送信可能リソースの中から所定のリソースを用いて、そのデータを送信する。端末装置に対して、予めグラントフリー送信可能リソースを割り当てておくことで、グラントベース送信に比べて、上りリンク送信に対する低遅延通信が実現できる。なお、グラントフリー送信は、低遅延通信のユースケース（例えば、ＵＲＬＬＣ）だけでなく、グラントの送信に関する制御の負荷低減などという点で、他のユースケース（例えば、ｅＭＢＢやｍＭＴＣなど）にも適用することができる。また、グラントフリー送信可能リソースは、端末装置固有または基地局固有の情報としてＲＲＣ（Radio  Resource  Control）シグナリングにより設定される。グラントフリー送信可能リソースは、時間方向において、所定の周期および／または所定のオフセットで決まる周期的なリソース、所定のスタート位置から連続するスロットなどで与えられる。グラントフリー送信の詳細は、非特許文献２に開示されている。
【先行技術文献】
【非特許文献】
【０００９】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V14.2.0  (2017-03).  インターネット<URL：http://www.3gpp.org/ftp//Specs/archive/38_series/38.913/38913-e20.zip>
【非特許文献２】R1-1704222,  "Grant-free  transmission  for  UL  URLLC,"  Huawei,  HiSilicon,  3GPP  TSG  RAN  WG1  Meeting  #88b,  April  2017.  インターネット<URL:http://www.3gpp.org/ftp/Meetings_3GPP_SYNC/RAN1/Docs/R1-1704222.zip>
【発明の概要】
【発明が解決しようとする課題】
【００１０】
グラントフリー送信は、提案されてからまだ日が浅く、様々な観点で向上の余地がある。例えば、グラントフリー送信が用いられるシステム全体の伝送効率も、向上の余地がある観点のひとつである。
【００１１】
そこで、本開示では、システム全体の伝送効率を向上させることが可能なグラントフリー送信の仕組みを提供する。
【課題を解決するための手段】
【００１２】
本開示によれば、グラントフリー送信可能リソース、及び互いに異なる所定の情報に対応する複数の送信パターンに関する設定を行う設定部と、前記グラントフリー送信可能リソースにおいて、前記複数の送信パターンの中から選択した送信パターンを用いてデータをグラントフリー送信する通信処理部と、を備える送信装置が提供される。
【００１３】
また、本開示によれば、送信装置が使用可能なグラントフリー送信可能リソース、及び互いに異なる所定の情報に対応する複数の送信パターンに関する設定を行う設定部と、前記グラントフリー送信可能リソースにおいて前記送信装置によりグラントフリー送信されたデータ、及び前記複数の送信パターンの中から選択されて前記データに用いられた送信パターンに対応する前記所定の情報を取得する通信処理部と、を備える受信装置が提供される。
【００１４】
また、本開示によれば、グラントフリー送信可能リソース、及び互いに異なる所定の情報に対応する複数の送信パターンに関する設定を行うことと、前記グラントフリー送信可能リソースにおいて、前記複数の送信パターンの中から選択した送信パターンを用いてデータをグラントフリー送信することと、を含む、プロセッサにより実行される送信方法が提供される。
【００１５】
また、本開示によれば、送信装置が使用可能なグラントフリー送信可能リソース、及び互いに異なる所定の情報に対応する複数の送信パターンに関する設定を行うことと、前記グラントフリー送信可能リソースにおいて前記送信装置によりグラントフリー送信されたデータ、及び前記複数の送信パターンの中から選択されて前記データに用いられた送信パターンに対応する前記所定の情報を取得することと、を含むプロセッサにより実行される受信方法が提供される。
【００１６】
また、本開示によれば、コンピュータを、グラントフリー送信可能リソース、及び互いに異なる所定の情報に対応する複数の送信パターンに関する設定を行う設定部と、前記グラントフリー送信可能リソースにおいて、前記複数の送信パターンの中から選択した送信パターンを用いてデータをグラントフリー送信する通信処理部と、として機能させるためのプログラムが記録された記録媒体が提供される。
【００１７】
また、本開示によれば、コンピュータを、送信装置が使用可能なグラントフリー送信可能リソース、及び互いに異なる所定の情報に対応する複数の送信パターンに関する設定を行う設定部と、前記グラントフリー送信可能リソースにおいて前記送信装置によりグラントフリー送信されたデータ、及び前記複数の送信パターンの中から選択されて前記データに用いられた送信パターンに対応する前記所定の情報を取得する通信処理部と、として機能させるためのプログラムが記録された記録媒体が提供される。
【発明の効果】
【００１８】
以上説明したように本開示によれば、システム全体の伝送効率を向上させることが可能なグラントフリー送信の仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１９】
【図１】本開示の一実施形態に係るシステムの全体構成を示す図である。
【図２】本実施形態に係る基地局装置と端末装置とのグラントベース送信処理の流れの一例を示すシーケンス図である。
【図３】本実施形態に係る基地局装置と端末装置とのグラントフリー送信処理の流れの一例を示すシーケンス図である。
【図４】本実施形態に係る基地局装置の構成の一例を示すブロック図である。
【図５】本実施形態に係る端末装置の構成の一例を示すブロック図である。
【図６】本実施形態に係るシステムにおいて実行されるグラントフリー送信の一例を説明するための図である。
【図７】本実施形態に係る送信パターンの一例を説明するための図である。
【図８】本実施形態に係る送信パターンに対応する情報の一例を説明するための図である。
【図９】本実施形態に係る送信パターンに対応する情報の一例を説明するための図である。
【図１０】本実施形態に係る送信パターンに対応する情報の一例を説明するための図である。
【図１１】本実施形態に係る送信パターンに対応する情報の一例を説明するための図である。
【図１２】本実施形態に係るシステムにおいて実行されるグラントフリー送信処理の流れの一例を示すシーケンス図である。
【図１３】本実施形態に係るシステムにおいて実行されるグラントフリー送信処理の流れの一例を示すシーケンス図である。
【図１４】ｅＮＢの概略的な構成の第１の例を示すブロック図である。
【図１５】ｅＮＢの概略的な構成の第２の例を示すブロック図である。
【図１６】スマートフォンの概略的な構成の一例を示すブロック図である。
【図１７】カーナビゲーション装置の概略的な構成の一例を示すブロック図である。
【発明を実施するための形態】
【００２０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２１】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ及び２００Ｂのように区別する。ただし、実質的に同一の機能構成を有する複数の要素の各々を特に区別する必要がない場合、同一符号のみを付する。例えば、端末装置２００Ａ及び２００Ｂを特に区別する必要が無い場合には、単に端末装置２００と称する。
【００２２】
なお、説明は以下の順序で行うものとする。
１．はじめに
１．１．全体構成
１．２．グラントベース送信及びグラントフリー送信
２．各装置の構成例
２．１．基地局装置の構成例
２．２．端末装置の構成例
３．技術的特徴
３．１．概要
３．２．送信パターン
３．３．送信パターンに対応する情報
３．４．送信パターン及び送信パラメータの定義
３．５．処理の流れ
４．応用例
５．まとめ
【００２３】
＜＜１．はじめに＞＞
＜１．１．全体構成＞
図１は、本開示の一実施形態に係るシステムの全体構成を示す図である。図１に示したように、システム１は、基地局装置１００、端末装置２００Ａ、端末装置２００Ｂ、コアネットワーク２０及びＰＤＮ（Packet  Data  Network）３０を含む。
【００２４】
基地局装置１００は、セル１１を運用し、セル１１の内部に位置する１つ以上の端末装置へ無線通信サービスを提供する通信装置である。セル１１は、例えばＬＴＥ又はＮＲ等の任意の無線通信方式に従って運用される。基地局装置１００は、コアネットワーク２０に接続される。コアネットワーク２０は、ゲートウェイ装置（図示せず）を介してＰＤＮ３０に接続される。
【００２５】
コアネットワーク２０は、例えばＭＭＥ（Mobility  Management  Entity）、Ｓ−ＧＷ（Serving  gateway）、Ｐ−ＧＷ（PDN  gateway）、ＰＣＲＦ（Policy  and  Charging  Rule  Function）及びＨＳＳ（Home  Subscriber  Server）を含み得る。ＭＭＥは、制御プレーンの信号を取り扱う制御ノードであり、端末装置の移動状態を管理する。Ｓ−ＧＷは、ユーザプレーンの信号を取り扱う制御ノードであり、ユーザデータの転送経路を切り替えるゲートウェイ装置である。Ｐ−ＧＷは、ユーザプレーンの信号を取り扱う制御ノードであり、コアネットワーク２０とＰＤＮ３０との接続点となるゲートウェイ装置である。ＰＣＲＦは、ベアラに対するＱｏＳ（Quality  of  Service）等のポリシー及び課金に関する制御を行う制御ノードである。ＨＳＳは、加入者データを取り扱い、サービス制御を行う制御ノードである。
【００２６】
端末装置２００Ａ及び端末装置２００Ｂは、基地局装置１００による制御に基づいて基地局装置１００と無線通信する通信装置である。端末装置２００Ａ及び端末装置２００Ｂは、いわゆるユーザ端末（ＵＥ：User  Equipment）であってもよい。例えば、端末装置２００Ａ及び端末装置２００Ｂは、基地局装置１００にアップリンク信号を送信して、基地局装置１００からダウンリンク信号を受信する。
【００２７】
とりわけ、端末装置２００Ａは、基地局装置１００との間でＵＲＬＬＣの信号を送受信するＵＲＬＬＣ端末である。ＵＲＬＬＣ端末２００Ａは、ＵＲＬＬＣデータ（第１の上りンリンクデータ）をグラントフリー送信する、第１の端末装置に相当する。端末装置２００Ｂは、基地局装置１００との間でｅＭＢＢの信号を送受信する、ｅＭＢＢ端末である。ｅＭＢＢ端末２００Ｂは、ｅＭＢＢデータ（第２の上りリンクデータ）をグラントベース送信する、第２の端末装置に相当する。ＵＲＬＬＣ端末２００Ａ及びｅＭＢＢ端末２００Ｂを区別する必要がない場合、これらを端末装置２００とも総称する。
【００２８】
＜１．２．グラントベース送信及びグラントフリー送信＞
・グラントベース送信
端末装置２００は、上りリンクにおいて、グラントベース送信を行い得る。グラントベース送信とは、送信すべきデータが発生する度に基地局装置１００からリソースの割り当てを受ける送信方法である。詳しくは、端末装置２００は、送信すべきデータが発生したタイミングで基地局装置１００からグラントベース送信用の上りリンクリソース（以下、グラントベース送信リソースとも称する）の割り当てを受ける。そして、端末装置２００は、割り当てられたグラントベース送信リソースを用いてデータを送信する。
【００２９】
グラントベース送信リソースは、制御チャネル等により動的に設定される。
【００３０】
以下、図２を参照して、グラントベース送信の流れを説明する。
【００３１】
図２は、本実施形態に係る基地局装置１００と端末装置２００とのグラントベース送信処理の流れの一例を示すシーケンス図である。図２に示すように、まず、端末装置２００は、ユーザ入力等により送信すべきデータが発生すると、基地局装置１００にリソース割り当て要求を行う（ステップＳ１２）。次いで、基地局装置１００は、リソース割り当てを行う（ステップＳ１４）。そして、端末装置２００は、上記ステップＳ１４において基地局装置１００から割り当てられたリソースを用いて、データを送信する（ステップＳ１６）。次に、基地局装置１００は、データを受信してＡＣＫ／ＮＡＣＫ等の応答を端末装置２００に返信する（ステップＳ１８）。次いで、端末装置２００は、受信した応答をユーザ等に出力する。
【００３２】
・グラントフリー送信
端末装置２００は、上りリンクにおいて、グラントフリー送信を行い得る。グラントフリー送信とは、予め基地局装置１００からリソースの割り当てを受けておき、送信すべきデータが発生した場合に割り当てられたリソースを使用してデータを送信する方法である。詳しくは、基地局装置１００は、グラントフリー送信用に所定の上りリンクリソース（以下、グラントフリー送信可能リソースとも称する）を端末装置２００に割り当てる。端末装置２００は、上りリンク送信のデータが発生した場合、グラントフリー送信可能リソースの中から送信に用いるリソースを選択し、選択したリソースを用いてデータを送信する。
【００３３】
グラントフリー送信可能リソースは、基地局装置１００又は端末装置２００に固有の情報として、ＲＲＣシグナリングにより静的に又は準静的に設定される。グラントフリー送信可能リソースは、時間方向において、所定の周期および／または所定のオフセットで決まる周期的なリソース、所定のスタート位置から連続するスロットなどで設定され得る。
【００３４】
以下、図３を参照して、グラントフリー送信の流れを説明する。
【００３５】
図３は、本実施形態に係る基地局装置１００と端末装置２００とのグラントフリー送信処理の流れの一例を示すシーケンス図である。図３に示すように、まず、基地局装置１００は、リソース割り当てを行う（ステップＳ２２）。ここで割り当てられるリソースは、グラントフリー送信可能リソースである。端末装置２００は、送信すべきデータが発生するまでは、割り当てられたグラントフリー送信可能リソースを使用しない。ユーザ入力等により送信すべきデータが発生すると、端末装置２００は、割り当てられたグラントフリー送信可能リソースを使用してデータを送信する（ステップＳ２４）。次に、基地局装置１００は、データを受信してＡＣＫ／ＮＡＣＫ等の応答を基地局装置１００に返信する（ステップＳ２６）。次いで、基地局装置１００は、受信した応答をユーザ等に出力する。
【００３６】
図２と図３を比較すると、送信すべきデータが発生してから送信完了までの時間または応答が得られるまでの応答時間は、グラントベース送信よりもグラントフリー送信の方が短い。従って、グラントフリー送信の方が低遅延通信を実現することができる。
【００３７】
＜＜２．各装置の構成例＞＞
＜２．１．基地局装置の構成例＞
図４は、本実施形態に係る基地局装置１００の構成の一例を示すブロック図である。図４を参照すると、基地局装置１００は、アンテナ部１１０、無線通信部１２０、ネットワーク通信部１３０、記憶部１４０及び制御部１５０を備える。
【００３８】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００３９】
（２）無線通信部１２０
無線通信部１２０は、信号を送受信する。例えば、無線通信部１２０は、端末装置へのダウンリンク信号を送信し、端末装置からのアップリンク信号を受信する。
【００４０】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００４１】
（４）記憶部１４０
記憶部１４０は、基地局装置１００の動作のためのプログラム及び様々なデータを一時的に又は恒久的に記憶する。
【００４２】
（５）制御部１５０
制御部１５０は、基地局装置１００全体の動作を制御して、基地局装置１００の様々な機能を提供する。制御部１５０は、設定部１５１及び通信処理部１５３を含む。設定部１５１は、端末装置２００との通信に関する各種設定を行う機能を有する。通信処理部１５３は、設定部１５１による設定に基づいて端末装置２００との通信に係る送信処理又は受信処理を行う機能を有する。設定部１５１及び通信処理部１５３の詳細な動作については後に詳しく説明する。制御部１５０は、これらの構成要素以外の他の構成要素をさらに含み得る。即ち、制御部１５０は、これらの構成要素の動作以外の動作も行い得る。
【００４３】
＜２．２．端末装置の構成例＞
図５は、本実施形態に係る端末装置２００の構成の一例を示すブロック図である。図５を参照すると、端末装置２００は、アンテナ部２１０、無線通信部２２０、記憶部２３０及び制御部２４０を備える。
【００４４】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００４５】
（２）無線通信部２２０
無線通信部２２０は、信号を送受信する。例えば、無線通信部２２０は、基地局からのダウンリンク信号を受信し、基地局へのアップリンク信号を送信する。
【００４６】
（３）記憶部２３０
記憶部２３０は、端末装置２００の動作のためのプログラム及び様々なデータを一時的に又は恒久的に記憶する。
【００４７】
（４）制御部２４０
制御部２４０は、端末装置２００全体の動作を制御して、端末装置２００の様々な機能を提供する。制御部２４０は、設定部２４１及び通信処理部２４３を含む。設定部２４１は、基地局装置１００との通信に関する各種設定を行う機能を有する。通信処理部２４３は、設定部２４１による設定に基づいて基地局装置１００との通信に係る送信処理又は受信処理を行う機能を有する。設定部２４１及び通信処理部２４３の詳細な動作については後に詳しく説明する。制御部２４０は、これらの構成要素以外の他の構成要素をさらに含み得る。即ち、制御部２４０は、これらの構成要素の動作以外の動作も行い得る。
【００４８】
＜＜３．技術的特徴＞＞
＜３．１．概要＞
グラントフリー送信によりデータを送信する送信装置は、グラントフリー送信可能リソース、及び互いに異なる所定の情報に対応する複数の送信パターンに関する設定を行う。同様に、グラントフリー送信されたデータを受信する受信装置は、送信装置が使用可能なグラントフリー送信可能リソース、及び互いに異なる所定の情報に対応する複数の送信パターンに関する設定を行う。詳しくは、送信装置及び受信装置は、送信装置に割り当てられたグラントフリー送信可能リソースを認識し、複数の送信パターンの各々と所定の情報との対応関係を設定する。
【００４９】
送信装置は、設定されたグラントフリー送信可能リソースにおいて、設定された複数の送信パターンの中から選択した送信パターンを用いてデータをグラントフリー送信する。詳しくは、送信装置は、グラントフリー送信可能リソースにおいて、所定の選択基準に従って送信パターンを選択し、選択した送信パターンを用いてデータをグラントフリー送信する。所定の選択基準は、送信パターンの選択基準として捉えられてもよいし、複数の送信パターンに対応する複数の情報のうち、どの情報を送信するかの選択基準として捉えられてもよい。
【００５０】
受信装置は、設定されたグラントフリー送信可能リソースにおいて送信装置によりグラントフリー送信されたデータ、及び設定された複数の送信パターンの中から選択されて当該データに用いられた送信パターンに対応する所定の情報を取得する。詳しくは、受信装置は、グラントフリー送信可能リソースにおいて、送信装置から送信されたデータを受信すると共に、受信したデータの送信に用いられた送信パターンを認識し、当該送信パターンに対応する情報を取得する。データの受信と送信パターンに対応する情報の取得は、同時に行われてもよいし、前後していてもよい。
【００５１】
このように、送信パターンの選択により、選択された送信パターンに対応する情報が間接的（即ち、黙示的に（implicit））に送信装置から受信装置へ通知される。この通知は、物理リソースを消費することなく実施できるので、伝送効率を向上させることが可能である。
【００５２】
現在、グラントフリー送信に関する５Ｇの議論において、送信装置が用いる送信パターンはひとつに制限されている。この点、本実施形態に係る送信装置は、複数の送信パターンの中からデータ送信に用いる送信パターンを選択可能である。そのため、用いる送信パターンがひとつに制限される場合と比較して、干渉の状況等に応じた柔軟な送信パターンの選択が可能となり、その結果、伝送効率を向上させることが可能となる。
【００５３】
任意の通信装置が、送信装置又は受信装置として機能し得る。本明細書は、端末装置２００が送信装置であり、基地局装置１００が受信装置であり、上りリンクデータがグラントフリー送信されるものとして説明する。
【００５４】
グラントフリー送信可能リソース及び送信パターンに関する設定は、基地局装置１００による制御に基づいて行われる。例えば、基地局装置１００（例えば、設定部１５１）は、端末装置２００にグラントフリー送信可能リソースを割り当て（即ち、設定し）、複数の送信パターンの各々と所定の情報との対応関係を設定する。そして、基地局装置１００は、これらの設定情報を端末装置２００に通知しつつ、上述した設定を行う。端末装置２００（例えば、設定部２４１）は、通知された設定情報に基づいて、上述した設定を行う。
【００５５】
基地局装置１００による送信パターンに関する設定は、例えば、ＲＲＣシグナリングにより行われる。送信パターンに関する設定は、グラントフリー送信に関する設定（例えば、グラントフリー送信可能リソースの割り当て）の中で行われてもよい。即ち、基地局装置１００は、グラントフリー送信に関する設定と送信パターンに関する設定とを含む設定情報をＲＲＣシグナリングにより端末装置２００に通知して、端末装置２００に設定させてもよい。
【００５６】
グラントフリー送信可能リソース及び送信パターンに関する設定後、端末装置２００（例えば、通信処理部２４３）は、設定されたグラントフリー送信可能リソースにおいて、設定された複数の送信パターンの中から選択した送信パターンを用いてデータをグラントフリー送信する。基地局装置１００（例えば、通信処理部１５３）は、設定されたグラントフリー送信可能リソースにおいて端末装置２００によりグラントフリー送信されたデータ、及び当該データに用いられた送信パターンに対応する所定の情報を取得する。
【００５７】
以下、図６を参照して、本実施形態に係るシステム１において実行されるグラントフリー送信の一例を説明する。
【００５８】
図６は、本実施形態に係るシステム１において実行されるグラントフリー送信の一例を説明するための図である。図６に示した例では、端末装置２００は、基地局装置１００からのＲＲＣシグナリングにより、４つの送信パターンが設定される。送信パターンＡは第１の情報に対応し、送信パターンＢは第２の情報に対応し、送信パターンＣは第３の情報に対応し、送信パターンＤは第４の情報に対応する。端末装置２００は、グラントフリー送信すべき上りリンクデータが発生した場合、所定の選択基準に従い送信パターンを選択し、当該送信パターンを用いてデータを送信する。図６に示した例では、端末装置２００は、グラントフリー送信可能リソースにおいて、送信パターンＣを用いてデータを上りリンク送信する。基地局装置１００は、端末装置２００から上りリンク送信されたデータを受信し、当該データが送信パターンＣを用いて送信されていることを認識することで、第３の情報を間接的に受信する。
【００５９】
なお、本実施形態では、上りリンク送信について説明するが、本技術は下りリンク送信にも適用できる。その場合、基地局装置１００が送信装置であり、端末装置２００が受信装置である。下りリンク送信におけるグラントフリー送信可能リソース及び送信パターンに関する設定は、上りリンク送信の場合と同様に、基地局装置１００による制御に基づいて行われる。グラントフリー送信可能リソース及び送信パターンに関する設定後、基地局装置１００（例えば、通信処理部１５３）は、設定されたグラントフリー送信可能リソースにおいて、設定された複数の送信パターンの中から選択した送信パターンを用いてデータをグラントフリー送信する。端末装置２００（例えば、通信処理部２４３）は、設定されたグラントフリー送信可能リソースにおいて基地局装置１００によりグラントフリー送信されたデータ、及び当該データに用いられた送信パターンに対応する所定の情報を取得する。
【００６０】
また、本技術は、サイドリンク送信にも適用できる。その場合、第１の端末装置２００が送信装置であり、第２の端末装置２００が受信装置である。サイドリンク送信におけるグラントフリー送信可能リソース及び送信パターンに関する設定は、上りリンク送信又は下りリンク送信の場合と同様に、基地局装置１００による制御に基づいて行われる。この場合、第１の端末装置２００及び第２の端末装置２００は、基地局装置１００から受信した設定情報に基づいて、グラントフリー送信可能リソース及び送信パターンに関する設定を行う。他にも、サイドリンク送信におけるグラントフリー送信可能リソース及び送信パターンに関する設定は、第１の端末装置２００又は第２の端末装置２００による制御に基づいて行われてもよい。グラントフリー送信可能リソース及び送信パターンに関する設定後、第１の端末装置２００（例えば、通信処理部２４３）は、設定されたグラントフリー送信可能リソースにおいて、設定された複数の送信パターンの中から選択した送信パターンを用いてデータをグラントフリー送信する。第２の端末装置２００（例えば、通信処理部２４３）は、設定されたグラントフリー送信可能リソースにおいて第１の端末装置２００によりグラントフリー送信されたデータ、及び当該データに用いられた送信パターンに対応する所定の情報を取得する。なお、サイドリンク送信は、Ｄ２Ｄ（Device  to  Device）送信、Ｖ２Ｘ（Vehicle  to  X）送信とも称され得る。
【００６１】
＜３．２．送信パターン＞
以下、本実施形態に係る送信パターンの一例を説明する。なお、送信パターンは、送信インデックスとして捉えられてもよい。
【００６２】
・非直交リソース
送信パターンは、データの送信に用いられる非直交リソースに関していてもよい。詳しくは、送信パターンは、データの送信に用いられる非直交リソースのパターンであってもよい。
【００６３】
直交多元接続（Orthogonal  Multiple  Access：ＯＭＡ）においては、例えば直交する周波数軸および時間軸を用いて送受信が行われる。この時、サブキャリア間隔によって周波数および時間リソースのフレーム構成が決定され、通信装置は、リソースエレメント数以上のリソースを使用することはできない。一方、非直交多元接続（Non−Orthogonal  Multiple  Access：ＮＯＭＡ）においては、直交する周波数軸および時間軸（直交リソース）に加えて、非直交軸（非直交リソース）を用いて、フレーム構成が決定される。非直交リソースは、例えば、インタリーブパターン（Interleave  pattern）、拡散パターン（Spreading  Pattern）、スクランブリングパターン（Scrambling  Pattern）、コードブック（Codebook）、又は電力（Power）である。
【００６４】
例えば、それぞれの端末装置２００では、上りリンク送信に対して対応するＭＡシグネチャ（Multiple  Access  signature）（非直交リソースパターン）が適用される。ここで、ＭＡシグネチャには、例えば、インタリーブパターン、拡散パターン、スクランブリングパターン、コードブック及び電力割り当てなどが含まれる。ＭＡシグネチャは、単にパターン又はインデックスとも称されてもよいし、ＮＯＭＡで使用されるパターン又はインデックス等の識別子であってもよいし、パターンそのものを表すものであってもよい。ＭＡシグネチャ適用後の信号は、複数の端末装置２００から同一の周波数リソース及び時間リソース上で送信される。
【００６５】
図７は、本実施形態に係る送信パターンの一例を説明するための図である。図７に示した例では、送信パターンは非直交リソース（即ち、ＭＡシグネチャ）である。端末装置２００は、基地局装置１００からのＲＲＣシグナリングにより、複数の非直交リソースと、各々の非直交リソースに対応する情報の設定を行う。図７に示した例では、ある端末装置２００に４つの非直交リソースが割り当てられる。非直交リソースＡは第１の情報に対応し、非直交リソースＢは第２の情報に対応し、非直交リソースＣは第３の情報に対応し、非直交リソースＤは第４の情報に対応する。端末装置２００は、グラントフリー送信すべき上りリンクデータが発生した場合、所定の選択基準に従い送信に用いる非直交リソースを選択し、当該非直交リソースを用いてデータを送信する。基地局装置１００は、端末装置２００から上りリンク送信されたデータを受信し、当該データの送信に用いられた非直交リソースを認識することで、当該非直交リソースに対応する情報を間接的に受信する。
【００６６】
・直交リソース
送信パターンは、データの送信に用いられる直交リソースに関していてもよい。詳しくは、送信パターンは、データの送信に用いられる直交リソースのパターンであってもよい。なお、直交リソースは、時間、周波数及び／又は符号を含む。
【００６７】
端末装置２００は、基地局装置１００からのＲＲＣシグナリングにより、複数の直交リソースと、各々の直交リソースに対応する情報の設定を行う。端末装置２００は、グラントフリー送信すべき上りリンクデータが発生した場合、所定の選択基準に従い直交リソースを選択し、当該直交リソースを用いてデータを送信する。基地局装置１００は、端末装置２００から上りリンク送信されたデータを受信し、当該データの送信に用いられた直交リソースを認識することで、当該直交リソースに対応する情報を間接的に受信する。
【００６８】
・ＤＭＲＳ
送信パターンは、送信されるデータに対するＤＭＲＳ（Demodulation  Reference  Signal：復調参照信号）に関していてもよい。詳しくは、送信パターンは、送信されるデータに対するＤＭＲＳのパターンであってもよい。ＤＭＲＳのパターンは、ＤＭＲＳの系列（即ち、シーケンス）、ＤＭＲＳの巡回シフト、ＤＭＲＳのスクランブル、及び／又はＤＭＲＳのアンテナポート等である。
【００６９】
端末装置２００は、基地局装置１００からのＲＲＣシグナリングにより、複数のＤＭＲＳのパターンと、各々のＤＭＲＳのパターンに対応する情報の設定を行う。端末装置２００は、グラントフリー送信すべき上りリンクデータが発生した場合、所定の選択基準に従いＤＭＲＳのパターンを選択し、当該ＤＭＲＳのパターンを用いてデータを送信する。基地局装置１００は、端末装置２００から上りリンク送信されたデータを受信し、当該データの送信に用いられたＤＭＲＳのパターンを認識することで、当該ＤＭＲＳのパターンに対応する情報を間接的に受信する。
【００７０】
・スクランブル
送信パターンは、送信されるデータに対するスクランブルに関していてもよい。換言すると、送信パターンは、送信されるデータに対するスクランブルのパターンであってもよい。
【００７１】
ここでのデータとは、データチャネル（ＰＵＳＣＨ（Physical  Uplink  Shared  Channel））、トランスポートブロック（Transport  block）、コードブロック（Code  block）、又はコードブロックグループ（Code  block  group）である。また、スクランブルの対象は、送信されるデータ全体、又は送信されるデータから生成される誤り検出符号の冗長ビット（例えば、ＣＲＣ（Cyclic  Redundancy  Check）の少なくともいずれかである。
【００７２】
端末装置２００は、基地局装置１００からのＲＲＣシグナリングにより、複数のスクランブルのパターンと、各々のスクランブルのパターンに対応する情報の設定を行う。端末装置２００は、グラントフリー送信すべき上りリンクデータが発生した場合、所定の選択基準に従いスクランブルのパターンを選択し、当該スクランブルのパターンを用いてデータを送信する。基地局装置１００は、端末装置２００から上りリンク送信されたデータを受信し、当該データの送信に用いられたスクランブルのパターンを認識することで、当該スクランブルのパターンに対応する情報を間接的に受信する。
【００７３】
一例として、上りリンクデータに対するスクランブルについて説明する。端末装置２００は、コードブロック毎に付加される誤り検出符号の冗長ビットに対して、所定のスクランブル系列によりスクランブル処理を行う。この所定のスクランブル系列がスクランブルのパターンであり、複数のスクランブル系列の各々が所定の情報に対応する。基地局装置１００は、当該冗長ビットに対して、所定のスクランブル系列を用いてデスクランブル処理を行うことで、送信に用いられたスクランブルのパターンを認識することができる。
【００７４】
・ビームパターン
送信パターンは、送信されるデータに対するビームに関していてもよい。換言すると、送信パターンは、送信されるデータに対するビームパターンであってもよい。
【００７５】
ここで、ビームとは、送信側又は受信側のアンテナの指向性を狭くして（小さくして）、送信または受信する信号（又は電波）である。ビームパターンとは、ビームの指向性（例えば、形状又は方向）である。具体的には、ビームパターンは、送信側のビームパターン、受信側のビームパターン、ビームリンクペア、プレコーディング行列、又は送信ダイバーシチ方法の少なくともいずれかを含む。ビームリンクペアは、送信側のビームパターンおよび受信側のビームパターンの好適なペアである。
【００７６】
端末装置２００は、基地局装置１００からのＲＲＣシグナリングにより、複数のビームパターンと、各々のビームパターンに対応する情報の設定を行う。端末装置２００は、グラントフリー送信すべき上りリンクデータが発生した場合、所定の選択基準に従いビームパターンを選択し、当該ビームパターンを用いてデータを送信する。基地局装置１００は、端末装置２００から上りリンク送信されたデータに対するビームパターンの検出処理を行うことで、当該データの送信に用いられたビームパターンを認識し、当該ビームパターンに対応する情報を間接的に受信する。
【００７７】
一例として、上りリンクデータに対するビームパターンについて説明する。端末装置２００は、上りリンクデータに対する複数の送信側のビームパターン、及び各々のビームパターンに対応する情報を、ＲＲＣシグナリングにより設定される。基地局装置１００は、ビームリンクペアに関する情報を保持しており、複数の受信側のビームパターンから信号の検出に成功した受信側のビームパターンに基づいて、端末装置２００が選択した送信側のビームパターンを認識する。結果として、基地局装置１００は、端末装置２００の送信側のビームパターンに対応する情報を取得することができる。
【００７８】
・組み合わせ
以上説明した送信パターンは、２以上が組み合わされて用いられてもよい。
【００７９】
送信パターンが、非直交リソースと直交リソースとの組み合わせである場合について説明する。例えば、送信パターンＡ〜Ｄの４つの送信パターンが設定されるものとする。送信パターンＡは、非直交リソースＡと直交リソースＡとの組み合わせである。送信パターンＢは、非直交リソースＡと直交リソースＢとの組み合わせである。送信パターンＣは、非直交リソースＢと直交リソースＡとの組み合わせである。送信パターンＤは、非直交リソースＢと直交リソースＢとの組み合わせである。このような組み合わせにより、非直交リソースを用いることによる周波数利用効率向上のメリットと直交リソースを用いることによる高い受信性能とのバランスを取ることが可能となる。
【００８０】
送信パターンが、非直交リソースとＤＭＲＳとの組み合わせである場合について説明する。例えば、少なくとも非直交リソースに基づいて、当該非直交リソースに組み合わせられるＤＭＲＳが決まる。これにより、複数の端末装置２００からの上りリンクデータが衝突した場合でも、基地局装置１００においてＤＭＲＳに対する干渉を抑制することができる。その結果、衝突した複数の上りリンクデータに対するチャネル推定性能を高めることが可能となる。
【００８１】
＜３．３．送信パターンに対応する情報＞
送信パターンに対応する情報は、グラントフリー送信されるデータの受信処理のための情報である。送信パターンの選択のための選択基準は、送信対象のデータの受信処理のためにどの情報を通知することが適切か、であるとも捉えられる。基地局装置１００は、送信パターンに対応する情報を間接的に受信することで、当該送信パターンを用いてグラントフリー送信されたデータの受信処理を適切に行うことが可能となる。
【００８２】
以下、本実施形態に係る送信パターンに対応する情報の一例を説明する。
【００８３】
・再送制御における送信回数
送信パターンに対応する情報は、グラントフリー送信されるデータの再送制御における送信回数であってもよい。この点について、図８を参照しながら詳しく説明する。
【００８４】
図８は、本実施形態に係る送信パターンに対応する情報の一例を説明するための図である。端末装置２００は、同一の上りリンクデータを、再送制御における送信回数に応じた送信パターンを用いて送信する。即ち、送信パターンの選択基準は、再送制御における送信回数である。図８に示した例では、端末装置２００は、初回送信時は送信パターンＡを用い、再送１回目であれば送信パターンＢを用い、再送２回目であれば送信パターンＣを用い、再送３回目であれば送信パターンＤを用いて、データを送信する。基地局装置１００は、受信した上りリンクデータに用いられた送信パターンに基づいて、受信した当該上りリンクデータの送信回数を認識する。
【００８５】
仮に、基地局装置１００が、端末装置２００からの上りリンクデータの検出に失敗した場合でも、その後の再送データの送信パターンにより、それまでの送信回数を認識できる。図８に示した例では、基地局装置１００は、初回送信時、再送１回目、及び再送２回目に上りリンクデータの検出に失敗し、再送３回目で上りリンクデータの検出に成功する。この場合、基地局装置１００は、検出に成功した上りリンクデータに用いられた送信パターンＤを認識することで、再送３回目であることを認識できる。基地局装置１００は、端末装置２００からの送信回数が多い場合、リソースの変更などの処理を行うことが可能である。
【００８６】
また、端末装置２００は、上りリンクデータの送信パラメータ（符号化率、送信電力、及びＲＶ（Redundancy  version）など）を、再送制御における送信回数に応じて決めてもよい。上述したように、送信パターンと送信回数とが対応付けられている。そのため、基地局装置１００は、検出された（即ち、受信に成功した）送信パターンに基づいて、受信した上りリンクデータの送信パラメータを認識することが可能となる。仮に、基地局装置１００が、端末装置２００からの上りリンクデータの検出に失敗した場合でも、基地局装置１００と端末装置２００との間で送信回数及び送信パラメータに関する認識の齟齬が起こらない。このため、基地局装置１００は、受信処理を適切に行うことが可能である。
【００８７】
あるデータの再送制御における送信回数が所定の閾値を超えた場合、当該データは所定の送信パターンを用いて送信されてもよい。例えば、上りリンクデータの送信回数が予め定められた最大の送信回数を超えた場合、端末装置２００は、当該最大の送信回数に対応する送信パターンを用いて当該上りリンクデータをグラントフリー送信する。例えば、図８に示した例において、最大の送信回数が４回である場合、端末装置２００は、再送４回目以降の上りリンクデータを、送信パターンＤを用いて送信する。
【００８８】
他に、選択候補の複数の送信パターンは２つの送信パターンから成り、第１の送信パターンは初回送信を示し、第２の送信パターンは再送を示してもよい。即ち、２つの送信パターンが設定され、それらの送信パターンが初送か再送かを示すようにしてもよい。具体的には、１つ目の送信パターンはその上りリンクデータが初送であることを示し、２つ目の送信パターンはその上りリンクデータが再送（２回目以降の再送を含む）であることを示す。
【００８９】
・繰り返し送信における送信回数
送信パターンに対応する情報は、グラントフリー送信されるデータの繰り返し送信における送信回数であってもよい。この点について、図９を参照しながら詳しく説明する。
【００９０】
図９は、本実施形態に係る送信パターンに対応する情報の一例を説明するための図である。端末装置２００は、同一の上りリンクデータを、基地局装置１００が設定した繰り返し回数分、繰り返して送信する。繰り返し送信される上りリンクデータは、送信回数に応じた送信パターンを用いて送信される。即ち、送信パターンの選択基準は、繰り返し送信における送信回数である。図９に示した例では、端末装置２００は、繰り返し送信１回目であれば送信パターンＡを用い、繰り返し送信２回目であれば送信パターンＢを用い、繰り返し送信３回目であれば送信パターンＣを用い、繰り返し送信４回目であれば送信パターンＤを用いて、データを送信する。同一のデータを繰り返し送信することにより、そのデータの信頼性及び受信特性（具体的には、誤り率特性、SN比など）が向上する。基地局装置１００は、受信した上りリンクデータに用いられた送信パターンに基づいて、その上りリンクデータの送信回数を認識する。これにより、基地局装置１００は、当該上りリンクデータの繰り返し送信における最初の送信及び／又は最後の送信、又は繰り返し送信の区間を認識できる。
【００９１】
仮に、基地局装置１００が、端末装置２００からの上りリンクデータの検出に失敗した場合でも、その他の上りリンクデータの送信パターンにより、繰り返し送信の区間を認識できる。これにより、基地局装置１００は、繰り返し送信に対する処理（例えば、合成処理及び復調処理など）を行う上りリンクデータを認識することができる。図９に示した例では、基地局装置１００は、データ＃１の１回目及び３回目に繰り返し送信されたデータの受信に失敗する。しかし、基地局装置１００は、２回目及び４回目に繰り返し送信されたデータの受信に成功するので、繰り返し送信の区間を認識でき、認識した区間の受信データを対象に合成処理及び復調処理を適用することができる。データ＃２に関しても同様である。
【００９２】
また、端末装置２００は、上りリンクデータの送信パラメータ（符号化率、送信電力、及びＲＶなど）を、繰り返し送信における送信回数に応じて決めてもよい。上述したように、送信パターンと送信回数とが対応付けられている。そのため、基地局装置１００は、検出された送信パターンに基づいて、受信した上りリンクデータの送信パラメータを認識することが可能となる。仮に、基地局装置１００が、端末装置２００からの上りリンクデータの検出に失敗した場合でも、基地局装置１００と端末装置２００との間で送信回数及び送信パラメータに関する認識の齟齬が起こらない。このため、基地局装置１００は、受信処理を適切に行うことが可能である。
【００９３】
設定された最大の繰り返し送信回数に至る前に繰り返し送信がストップする場合、最後に繰り返し送信されるデータには、最大の繰り返し送信回数に対応する送信パターンが用いられてもよい。図９に示した例においては、最大の繰り返し送信回数は４回である。例えば、３回目の送信で繰り返し送信をストップする場合、端末装置２００は、３回目に送信するリンクデータを送信パターンＤ（すなわち、繰り返し送信４回目で用いられる送信パターン）を用いて送信する。これにより、基地局装置１００は、端末装置２００が繰り返し送信を途中でストップしたこと、及びどの送信が最後であるかを認識することができる。
【００９４】
繰り返し送信のストップは、所定の条件が満たされる場合に実施される。所定の条件は、例えば、第１のデータの繰り返し送信を行っている途中で、別の第２のデータを送信することが必要になったことが挙げられる。所定の条件は、第２のデータが第１のデータよりも優先度が高いこと、及び／又は第２のデータが第１のデータによりも後に発生したことを、含んでいてもよい。他にも、所定の条件は、繰り返し送信に用いることができる送信電力が所定の閾値よりも小さいことが挙げられる。
【００９５】
・ＨＡＲＱプロセス
送信パターンに対応する情報は、再送制御におけるプロセス番号であってもよい。具体的には、送信パターンに対応する情報は、ＨＡＲＱ（Hybrid  automatic  repeat  request）プロセス番号であってもよい。
【００９６】
ＨＡＲＱプロセスは、データに対する再送制御を行う単位（即ち、プロセス）である。端末装置２００は、複数のＨＡＲＱプロセスを用いることにより、複数の再送制御を並列的に行うことができる。それぞれのＨＡＲＱプロセスは、ＨＡＲＱプロセス番号（インデックス）により管理される。なお、グラントフリー送信に関する５Ｇの議論では、１つのＨＡＲＱプロセスのみがグラントフリー送信において行われることが想定されている。
【００９７】
送信パターンに対応する情報がＨＡＲＱプロセス番号である場合について、図１０を参照しながら詳しく説明する。
【００９８】
図１０は、本実施形態に係る送信パターンに対応する情報の一例を説明するための図である。端末装置２００は、複数のＨＡＲＱプロセスの上りリンクデータのそれぞれに対して、ＨＡＲＱプロセス番号に応じた送信パターンを用いて送信する。即ち、送信パターンの選択基準は、ＨＡＲＱプロセス番号である。図１０に示した例では、端末装置２００は、ＨＡＲＱプロセス＃１の上りリンクデータに対して送信パターンＡを用いる。端末装置２００は、ＨＡＲＱプロセス＃２の上りリンクデータに対して送信パターンＢを用いる。端末装置２００は、ＨＡＲＱプロセス＃３の上りリンクデータに対して送信パターンＣを用いる。端末装置２００は、ＨＡＲＱプロセス＃４の上りリンクデータに対して送信パターンＤを用いる。基地局装置１００は、受信した上りリンクデータに用いられた送信パターンに基づいて、その上りリンクデータのＨＡＲＱプロセス番号を認識し、各々のＨＡＲＱプロセスにおいて適切にＨＡＲＱ  ＡＣＫ／ＮＡＣＫを返送することが可能となる。図１０に示した例では、基地局装置１００は、ＨＡＲＱプロセス＃１の上りリンクデータの受信に２度失敗し、３度目に成功してＨＡＲＱ  ＡＣＫを返送する。基地局装置１００は、ＨＡＲＱプロセス＃２の上りリンクデータの受信に１度で成功してＨＡＲＱ  ＡＣＫを返送する。基地局装置１００は、ＨＡＲＱプロセス＃３の上りリンクデータの受信に１度失敗し、２度目に成功してＨＡＲＱ  ＡＣＫを返送する。基地局装置１００は、ＨＡＲＱプロセス＃４の上りリンクデータの受信に２度失敗し、３度目に成功してＨＡＲＱ  ＡＣＫを返送する。このように、グラントフリー送信において、複数のＨＡＲＱプロセスを用いることが可能となる。端末装置２００は、上りリンクデータの緊急度や優先度などに応じたスケジューリングが可能になる。
【００９９】
また、端末装置２００は、上りリンクデータの送信パラメータ（符号化率、送信電力、及びＲＶ（Redundancy  version）など）を、ＨＡＲＱプロセス番号に応じて決めてもよい。上述したように、送信パターンとＨＡＲＱプロセス番号とが対応付けられている。そのため、基地局装置１００は、検出された（即ち、受信に成功した）送信パターンに基づいて、受信した上りリンクデータの送信パラメータを認識することが可能となる。仮に、基地局装置１００が、端末装置２００からの上りリンクデータの検出に失敗した場合でも、基地局装置１００と端末装置２００との間でＨＡＲＱプロセス番号及び送信パラメータに関する認識の齟齬が起こらない。このため、基地局装置１００は、受信処理を適切に行うことが可能である。
【０１００】
また、複数のＨＡＲＱプロセスの各々は、異なる上りリンクデータの緊急度又は優先度に対応し、異なる送信パラメータが設定されてもよい。これにより、端末装置２００は、上りリンクデータの緊急度又は優先度に応じた送信パラメータを用いた送信を行うことが可能となる。
【０１０１】
・送信パラメータ
送信パターンに対応する情報は、グラントフリー送信されるデータに用いられる送信パターンであってもよい。送信パラメータの内容は、後に詳しく説明する。なお、グラントフリー送信に関する５Ｇの議論では、１つの送信パラメータのみを用いてグラントフリー送信が行われることが想定されている。送信パターンに対応する情報が送信パラメータである場合について、図１１を参照しながら詳しく説明する。
【０１０２】
図１１は、本実施形態に係る送信パターンに対応する情報の一例を説明するための図である。端末装置２００は、上りリンクデータに用いられる送信パラメータに応じた送信パターンを用いて、上りリンクデータを送信する。即ち、送信パターンの選択基準は、送信パラメータである。図１１に示した例では、端末装置２００は、送信パラメータ＃１を用いる上りリンクデータに対して送信パターンＡを用いる。端末装置２００は、送信パラメータ＃２を用いる上りリンクデータに対して送信パターンＢを用いる。端末装置２００は、送信パラメータ＃３を用いる上りリンクデータに対して送信パターンＣを用いる。端末装置２００は送信パラメータ＃４を用いる上りリンクデータに対して送信パターンＤを用いる。送信パターンに対する送信パラメータの設定は、基地局装置１００により予めＲＲＣシグナリングにより行われ得る。基地局装置１００は、受信した上りリンクデータに用いられた送信パターンに基づいて、当該上りリンクデータに用いられた送信パラメータを認識する。
【０１０３】
このように、グラントフリー送信において、複数の送信パラメータを用いた動的な上りリンク送信が可能となる。よって、端末装置２００は、上りリンクデータの緊急度又は優先度などに応じた、送信パラメータの適応制御を行うことが可能になる。
【０１０４】
＜３．４．送信パターン及び送信パラメータの定義＞
以下では、本明細書における送信パターン及び送信パターンの定義を説明する。
【０１０５】
・送信パターン
送信パターンは、非直交リソース、直交リソース、データのＤＭＲＳ、データに対するスクランブル、及び／又はデータに対するビームパターンを含む。送信パターンは、これらそのものに加えて、これらを示す識別情報（即ち、インデックス）を含んでいてもよい。
【０１０６】
送信パターンは、端末装置２００が基地局装置１００から複数設定されたものの中から１つを選択して、上りリンクデータの送信に用いられる。当該選択は、端末装置２００が基地局装置１００に通知したい情報に基づいて行うことができる。
【０１０７】
基地局装置１００は、どの送信パターンが選択されたかを事前に認識しない。他方、基地局装置１００は、端末装置２００によりどの送信パターンを用いて送信されたかを認識することができる。即ち、基地局装置１００は、端末装置２００からの送信に用いられた送信パターンを検出することで、どの送信パターンが選択されたかを認識することができる。
【０１０８】
・送信パラメータ
送信パラメータは、変調方式、符号化率、送信電力、ＲＶ、ＮＤＩ（New  data  indicator）、レイヤー数（即ち、ＭＩＭＯ（multiple−input  and  multiple−output）多重数）、ビームパターン、及び／又は、プレコーディングパターン等を含む。送信パラメータは、これらのうちいずれか１つであってもよいし、組み合わせて用いられてもよい。送信パラメータは、これらそのものに加えて、これらを示す識別情報（即ち、インデックス）を含んでいてもよい。
【０１０９】
送信パラメータは、端末装置２００が基地局装置１００から１つまたは複数設定される。その中から所定の条件に基づいて決まる送信パラメータが、上りリンクデータに用いられる。所定の条件は、基地局装置１００からの指示又は仕様書で定められる。即ち、送信パラメータは、端末装置２００によって選択されない。基地局装置１００は、どの送信パラメータが用いられているかを事前に（即ち、グラントフリー送信が行われるより前に）認識している。基地局装置１００は、端末装置２００がどの送信パラメータを用いて送信したかを認識しなくてもよい。即ち、基地局装置１００は、端末装置２００により送信に用いられた送信パラメータを検出しなくてもよい。
【０１１０】
＜３．５．処理の流れ＞
以下、図１２及び図１３を参照して、システム１におけるグラントフリー送信処理の流れの一例を説明する。
【０１１１】
図１２は、本実施形態に係るシステム１において実行されるグラントフリー送信処理の流れの一例を示すシーケンス図である。本シーケンスは、基地局装置１００及び端末装置２００が関与し、上りリンク送信においてグラントフリー送信が行われる。
【０１１２】
図１２に示すように、まず、基地局装置１００は、端末装置２００に対してグラントフリー送信可能リソースの割り当てを行う（ステップＳ１０２）。次いで、基地局装置１００は、互いに異なる所定の情報に対応する、複数の送信パターンに関する設定を行う（ステップＳ１０４）。
【０１１３】
端末装置２００は、送信要求が発生するまで待機し、送信要求が発生すると（ステップＳ１０６）、送信対象のデータを生成し（ステップＳ１０８）、所定の選択基準に従って送信パターンを選択する（ステップＳ１１０）。そして、端末装置２００は、選択した送信パターンを用いてデータを送信する（ステップＳ１１２）。
【０１１４】
次いで、基地局装置１００は、端末装置２００から送信されたデータに用いられた送信パターンを認識し、当該送信パターンに対応する情報を取得する（ステップＳ１１４）。そして、基地局装置１００は、送信パターンに対応する情報を用いて、端末装置２００から送信されたデータを取得する（ステップＳ１１６）。
【０１１５】
以上により、処理は終了する。
【０１１６】
図１３は、本実施形態に係るシステム１において実行されるグラントフリー送信処理の流れの一例を示すシーケンス図である。本シーケンスは、基地局装置１００及び端末装置２００が関与し、下りリンク送信においてグラントフリー送信が行われる。
【０１１７】
図１３に示すように、まず、基地局装置１００は、端末装置２００に対してグラントフリー送信可能リソースの割り当てを行う（ステップＳ２０２）。次いで、基地局装置１００は、互いに異なる所定の情報に対応する、複数の送信パターンに関する設定を行う（ステップＳ２０４）。
【０１１８】
基地局装置１００は、送信要求が発生するまで待機し、送信要求が発生すると（ステップＳ２０６）、送信対象のデータを生成し（ステップＳ２０８）、所定の選択基準に従って送信パターンを選択する（ステップＳ２１０）。そして、基地局装置１００は、選択した送信パターンを用いてデータを送信する（ステップＳ２１２）。
【０１１９】
次いで、端末装置２００は、基地局装置１００から送信されたデータに用いられた送信パターンを認識し、当該送信パターンに対応する情報を取得する（ステップＳ２１４）。そして、端末装置２００は、送信パターンに対応する情報を用いて、基地局装置１００から送信されたデータを取得する（ステップＳ２１６）。
【０１２０】
以上により、処理は終了する。
【０１２１】
＜＜４．応用例＞＞
以下、本開示に係る技術の応用例を説明する。なお、本明細書において、ｅＮＢ（evolved  Node  B）は、ｇＮＢとも呼称される。
【０１２２】
本開示に係る技術は、様々な製品へ応用可能である。例えば、基地局装置１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１００は、ＮｏｄｅＢ又はＢＴＳ（Base  Transceiver  Station）などの他の種類の基地局として実現されてもよい。基地局装置１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１００として動作してもよい。
【０１２３】
また、例えば、端末装置２００及び３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００及び３００は、Ｍ２Ｍ（Machine  To  Machine）通信を行う端末（ＭＴＣ（Machine  Type  Communication）端末ともいう）として実現されてもよい。さらに、端末装置２００及び３００は、これら端末に搭載される無線通信モジュール（例えば、１つのダイで構成される集積回路モジュール）であってもよい。
【０１２４】
＜４．１．基地局装置に関する応用例＞
（第１の応用例）
図１４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１２５】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１４に示したように複数のアンテナ８１０を有し、複数のアンテナ８１０は、例えばｅＮＢ８００が使用する複数の周波数帯域にそれぞれ対応してもよい。なお、図１４にはｅＮＢ８００が複数のアンテナ８１０を有する例を示したが、ｅＮＢ８００は単一のアンテナ８１０を有してもよい。
【０１２６】
基地局装置８２０は、コントローラ８２１、メモリ８２２、ネットワークインタフェース８２３及び無線通信インタフェース８２５を備える。
【０１２７】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１２８】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１２９】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１３０】
無線通信インタフェース８２５は、図１４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１４に示したように複数のＲＦ回路８２７を含み、複数のＲＦ回路８２７は、例えば複数のアンテナ素子にそれぞれ対応してもよい。なお、図１４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１３１】
図１４に示したｅＮＢ８００において、図４を参照して説明した基地局装置１００に含まれる１つ以上の構成要素（設定部１５１及び／又は通信処理部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１３２】
また、図１４に示したｅＮＢ８００において、図４を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１３３】
（第２の応用例）
図１５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１３４】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１５に示したように複数のアンテナ８４０を有し、複数のアンテナ８４０は、例えばｅＮＢ８３０が使用する複数の周波数帯域にそれぞれ対応してもよい。なお、図１５にはｅＮＢ８３０が複数のアンテナ８４０を有する例を示したが、ｅＮＢ８３０は単一のアンテナ８４０を有してもよい。
【０１３５】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１４を参照して説明したコントローラ８２１、メモリ８２２及びネットワークインタフェース８２３と同様のものである。
【０１３６】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１４を参照して説明したＢＢプロセッサ８２６と同様のものである。無線通信インタフェース８５５は、図１５に示したように複数のＢＢプロセッサ８５６を含み、複数のＢＢプロセッサ８５６は、例えばｅＮＢ８３０が使用する複数の周波数帯域にそれぞれ対応してもよい。なお、図１５には無線通信インタフェース８５５が複数のＢＢプロセッサ８５６を含む例を示したが、無線通信インタフェース８５５は単一のＢＢプロセッサ８５６を含んでもよい。
【０１３７】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１３８】
また、ＲＲＨ８６０は、接続インタフェース８６１及び無線通信インタフェース８６３を備える。
【０１３９】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１４０】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１５に示したように複数のＲＦ回路８６４を含み、複数のＲＦ回路８６４は、例えば複数のアンテナ素子にそれぞれ対応してもよい。なお、図１５には無線通信インタフェース８６３が複数のＲＦ回路８６４を含む例を示したが、無線通信インタフェース８６３は単一のＲＦ回路８６４を含んでもよい。
【０１４１】
図１５に示したｅＮＢ８３０において、図４を参照して説明した基地局装置１００に含まれる１つ以上の構成要素（設定部１５１及び／又は通信処理部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１４２】
また、図１５に示したｅＮＢ８３０において、例えば、図４を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１４３】
＜４．２．端末装置に関する応用例＞
（第１の応用例）
図１６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１４４】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１４５】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１４６】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１６に示したように複数のＢＢプロセッサ９１３及び複数のＲＦ回路９１４を含んでもよい。なお、図１６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１４７】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１４８】
アンテナスイッチ９１５の各々は、無線通信インタフェース９１２に含まれる複数の回路（例えば、異なる無線通信方式のための回路）の間でアンテナ９１６の接続先を切り替える。
【０１４９】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１６に示したように複数のアンテナ９１６を有してもよい。なお、図１６にはスマートフォン９００が複数のアンテナ９１６を有する例を示したが、スマートフォン９００は単一のアンテナ９１６を有してもよい。
【０１５０】
さらに、スマートフォン９００は、無線通信方式ごとにアンテナ９１６を備えてもよい。その場合に、アンテナスイッチ９１５は、スマートフォン９００の構成から省略されてもよい。
【０１５１】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１６に示したスマートフォン９００の各ブロックへ電力を供給する。補助コントローラ９１９は、例えば、スリープモードにおいて、スマートフォン９００の必要最低限の機能を動作させる。
【０１５２】
図１６に示したスマートフォン９００において、図５を参照して説明した端末装置２００に含まれる１つ以上の構成要素（設定部２４１及び／又は通信処理部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１５３】
また、図１６に示したスマートフォン９００において、例えば、図５を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１５４】
（第２の応用例）
図１７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１５５】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１５６】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１５７】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１５８】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１７に示したように複数のＢＢプロセッサ９３４及び複数のＲＦ回路９３５を含んでもよい。なお、図１７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１５９】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１６０】
アンテナスイッチ９３６の各々は、無線通信インタフェース９３３に含まれる複数の回路（例えば、異なる無線通信方式のための回路）の間でアンテナ９３７の接続先を切り替える。
【０１６１】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１７に示したように複数のアンテナ９３７を有してもよい。なお、図１７にはカーナビゲーション装置９２０が複数のアンテナ９３７を有する例を示したが、カーナビゲーション装置９２０は単一のアンテナ９３７を有してもよい。
【０１６２】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１６３】
バッテリー９３８は、図中に破線で部分的に示した給電ラインを介して、図１７に示したカーナビゲーション装置９２０の各ブロックへ電力を供給する。また、バッテリー９３８は、車両側から給電される電力を蓄積する。
【０１６４】
図１７に示したカーナビゲーション装置９２０において、図５を参照して説明した端末装置２００に含まれる１つ以上の構成要素（設定部２４１及び／又は通信処理部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１６５】
また、図１７に示したカーナビゲーション装置９２０において、例えば、図５を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１６６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１６７】
＜＜５．まとめ＞＞
以上、図１〜図１７を参照して、本開示の一実施形態について詳細に説明した。上記説明したように、本実施形態に係る送信装置（上りリンク送信においては、端末装置２００）は、グラントフリー送信可能リソース、及び互いに異なる所定の情報に対応する複数の送信パターンに関する設定を行う。そして、送信装置は、グラントフリー送信可能リソースにおいて、複数の送信パターンの中から選択した送信パターンを用いてデータをグラントフリー送信する。一方で、本実施形態に係る受信装置（上りリンク送信においては、基地局装置１００）は、送信装置が使用可能なグラントフリー送信可能リソース、及び互いに異なる所定の情報に対応する複数の送信パターンに関する設定を行う。そして、受信装置は、グラントフリー送信可能リソースにおいて送信装置によりグラントフリー送信されたデータ、及び複数の送信パターンの中から選択されて当該データに用いられた送信パターンに対応する所定の情報を取得する。本実施形態に係る送信装置は、データ送信に用いる送信パターンを、干渉の状況等に応じて複数のパターンの中から柔軟に選択可能であるので、システム全体の伝送効率を向上させることが可能となる。さらに、送信パターンの選択により、選択された送信パターンに対応する情報が間接的に、即ち物理リソースを消費することなく送信装置から受信装置へ通知されるので、伝送効率を向上させることが可能である。
【０１６８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１６９】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１７０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１７１】
なお、以下のような構成も本開示の技術的範囲に属する。
（１）
グラントフリー送信可能リソース、及び互いに異なる所定の情報に対応する複数の送信パターンに関する設定を行う設定部と、
前記グラントフリー送信可能リソースにおいて、前記複数の送信パターンの中から選択した送信パターンを用いてデータをグラントフリー送信する通信処理部と、
を備える送信装置。
（２）
前記送信パターンは、前記データの送信に用いられる非直交リソースに関する、前記（１）に記載の送信装置。
（３）
前記送信パターンは、前記データの送信に用いられる直交リソースに関する、前記（１）又は（２）に記載の送信装置。
（４）
前記送信パターンは、前記データに対する復調参照信号に関する、前記（１）〜（３）のいずれか一項に記載の送信装置。
（５）
前記送信パターンは、前記データに対するスクランブルに関する、前記（１）〜（４）のいずれか一項に記載の送信装置。
（６）
前記送信パターンは、前記データに対するビームに関する、前記（１）〜（５）のいずれか一項に記載の送信装置。
（７）
前記所定の情報は、前記データの受信処理のための情報である、前記（１）〜（６）のいずれか一項に記載の送信装置。
（８）
前記所定の情報は、前記データの再送制御における送信回数である、前記（７）に記載の送信装置。
（９）
前記データの再送制御における送信回数が所定の閾値を超えた場合、所定の送信パターンが用いられる、前記（８）に記載の送信装置。
（１０）
前記複数の送信パターンは２つの送信パターンから成り、第１の送信パターンは初回送信を示し、第２の送信パターンは再送を示す、前記（８）に記載の送信装置。
（１１）
前記所定の情報は、前記データの繰り返し送信における送信回数である、前記（７）に記載の送信装置。
（１２）
設定された最大の繰り返し送信回数に至る前に繰り返し送信がストップする場合、最後に繰り返し送信される前記データには、前記最大の繰り返し送信回数に対応する送信パターンが用いられる、前記（１１）に記載の送信装置。
（１３）
前記所定の情報は、前記データの再送制御におけるプロセス番号である、前記（７）に記載の送信装置。
（１４）
前記所定の情報は、前記データに用いられる送信パラメータである、前記（７）〜（１３）のいずれか一項に記載の送信装置。
（１５）
送信装置が使用可能なグラントフリー送信可能リソース、及び互いに異なる所定の情報に対応する複数の送信パターンに関する設定を行う設定部と、
前記グラントフリー送信可能リソースにおいて前記送信装置によりグラントフリー送信されたデータ、及び前記複数の送信パターンの中から選択されて前記データに用いられた送信パターンに対応する前記所定の情報を取得する通信処理部と、
を備える受信装置。
（１６）
グラントフリー送信可能リソース、及び互いに異なる所定の情報に対応する複数の送信パターンに関する設定を行うことと、
前記グラントフリー送信可能リソースにおいて、前記複数の送信パターンの中から選択した送信パターンを用いてデータをグラントフリー送信することと、
を含む、プロセッサにより実行される送信方法。
（１７）
送信装置が使用可能なグラントフリー送信可能リソース、及び互いに異なる所定の情報に対応する複数の送信パターンに関する設定を行うことと、
前記グラントフリー送信可能リソースにおいて前記送信装置によりグラントフリー送信されたデータ、及び前記複数の送信パターンの中から選択されて前記データに用いられた送信パターンに対応する前記所定の情報を取得することと、
を含むプロセッサにより実行される受信方法。
（１８）
コンピュータを、
グラントフリー送信可能リソース、及び互いに異なる所定の情報に対応する複数の送信パターンに関する設定を行う設定部と、
前記グラントフリー送信可能リソースにおいて、前記複数の送信パターンの中から選択した送信パターンを用いてデータをグラントフリー送信する通信処理部と、
として機能させるためのプログラムが記録された記録媒体。
（１９）
コンピュータを、
送信装置が使用可能なグラントフリー送信可能リソース、及び互いに異なる所定の情報に対応する複数の送信パターンに関する設定を行う設定部と、
前記グラントフリー送信可能リソースにおいて前記送信装置によりグラントフリー送信されたデータ、及び前記複数の送信パターンの中から選択されて前記データに用いられた送信パターンに対応する前記所定の情報を取得する通信処理部と、
として機能させるためのプログラムが記録された記録媒体。
【符号の説明】
【０１７２】
１      システム
１１    セル
２０    コアネットワーク
３０    ＰＤＮ
１００    基地局装置
１１０    アンテナ部
１２０    無線通信部
１３０    ネットワーク通信部
１４０    記憶部
１５０    制御部
１５１    設定部
１５３    通信処理部
２００    端末装置
２１０    アンテナ部
２２０    無線通信部
２３０    記憶部
２４０    制御部
２４１    設定部
２４３    通信処理部
【図１】
2019004311.tif 000003
【図２】
2019004311.tif 000004
【図３】
2019004311.tif 000005
【図４】
2019004311.tif 000006
【図５】
2019004311.tif 000007
【図６】
2019004311.tif 000008
【図７】
2019004311.tif 000009
【図８】
2019004311.tif 000010
【図９】
2019004311.tif 000011
【図１０】
2019004311.tif 000012
【図１１】
2019004311.tif 000013
【図１２】
2019004311.tif 000014
【図１３】
2019004311.tif 000015
【図１４】
2019004311.tif 000016
【図１５】
2019004311.tif 000017
【図１６】
2019004311.tif 000018
【図１７】
2019004311.tif 000019